(57)【要約】【課題】流雪溝の水位を検知可能とする一方で、流水に凍結が生じた場合には、その旨を速やかに検知可能とした流雪溝における状態監視装置を提供すること。【解決手段】水を通電媒体として電極間で通電が可能とされ、それにより水の存在有無を検知する第１のセンサと、水・氷の双方を通電媒体として電極間で通電が可能とされ、それにより水・氷の存在有無を検知する第２のセンサと、前記第１と第２の両センサの出力の論理演算を行って演算結果に応じた出力を生成する演算出力装置とを設け、第１のセンサの出力と第２のセンサの出力との論理演算装置による論理演算結果に基づいて流雪溝における凍結を検知する。【選択図】      図３
2004347377.tif 000002
【特許請求の範囲】
【請求項１】
水を通電媒体として電極間で通電が可能とされ、それにより水の存在有無を検知する第１のセンサと、水・氷の双方を通電媒体として電極間で通電が可能とされ、それにより水・氷の存在有無を検知する第２のセンサと、前記第１と第２の両センサの出力を入力する演算出力装置とを有し、
前記第１のセンサは、
溝の底部にその先端が配置されるアース電極棒と、
溝における満水警報発生点にその先端が配置される第１の電極棒と、
溝における空水警報発生点にその先端が配置される第２の電極棒と、を具備し、
前記第２のセンサは、
溝の底部にその先端が配置されるアース電極棒と、
溝における凍結検知点にその先端が配置される電極棒と、を具備し、
前記演算出力装置は、第１のセンサの出力と第２のセンサの出力との論理演算を行い、その論理演算結果に基づいて溝における凍結を検知し得るようにした
ことを特徴とする溝の状態監視センサ。
【請求項２】
演算出力装置は、
第１のセンサの出力が、アース電極棒と第１の電極棒との通電状態を示す第１出力ＯＮであり、第２のセンサの出力がアース電極棒と他方の電極棒との通電状態を示すＯＮのとき、満水警報信号を生成する、
ことを特徴とする請求項１に記載の溝における状態監視センサ。
【請求項３】
演算出力装置は、
第１のセンサの出力が、アース電極棒と、第１、第２のいずれの電極棒との非通電状態を示す出力ＯＦＦであり、第２のセンサの出力がアース電極棒と他方の電極棒との通電状態を示すＯＮのとき、凍結警報信号を生成する、ことを特徴とする請求項１に記載の溝における状態監視センサ。
【請求項４】
演算出力装置は、
第１のセンサの出力が、アース電極棒と、第１、第２のいずれの電極棒との非通電状態を示す出力ＯＦＦであり、第２のセンサの出力がアース電極棒と他方の電極棒との非通電状態を示すＯＦＦのとき、空水警報信号を生成する、ことを特徴とする請求項１に記載の溝における状態監視センサ。
【請求項５】
演算出力装置は、
第１のセンサの出力が、アース電極棒と、第１、第２のいずれの電極棒との通電状態を示す出力ＯＮであり、第２のセンサの出力がアース電極棒と他方の電極棒との非通電状態を示すＯＦＦのとき、センサ異常信号を生成する、ことを特徴とする請求項１に記載の溝における状態監視センサ。
【請求項６】
請求項２または３において、取得される水位警報信号および凍結検知情報を、予め定められた送信先に送信するための通信装置を更に有することを特徴とする、状態監視センサ。
【請求項７】
溝の状態監視センサと、監視センターと、それらを結ぶインターネットとを含む溝の状態監視システムであって、
前記溝の状態監視センサは、
水を通電媒体として電極間で通電が可能とされ、それにより水の存在有無を検知する第１のセンサと、水・氷の双方を通電媒体として電極間で通電が可能とされ、それにより水・氷の存在有無を検知する第２のセンサと、前記第１と第２の両センサの出力を入力する演算出力装置と、取得される水位警報情報または凍結情報を、監視センターに送信するための通信装置とを有し、
前記第１のセンサは、
溝の底部にその先端が配置されるアース電極棒と、
溝における満水警報発生点にその先端が配置される第１の電極棒と、
溝における空水警報発生点にその先端が配置される第２の電極棒と、を具備し、
前記第２のセンサは、
溝の底部にその先端が配置されるアース電極棒と、
溝における凍結検知点にその先端が配置される電極棒と、を具備し、
前記演算出力装置は、第１のセンサの出力と第２のセンサの出力との論理演算を行い、その論理演算結果に基づいて溝における凍結を検知、
通信装置は、前記凍結情報を、監視センターに送信するようにした
ことを特徴とする溝の状態監視システム。
【発明の詳細な説明】
【０００１】
【発明の属する技術分野】
この発明は、例えば流雪溝、下水溝、一般水路、水槽、タンク、貯水槽、貯水池等の凍結発生を速やかに検知可能とした状態監視装置に関する。
【０００２】
【従来の技術】
一般に、水位検知の対象となる溝としては、下水溝、一般水路、水槽、タンク、貯水槽、貯水池等が知られているが、雪国では、除雪のために流雪溝なるものが広く使用されている。流雪溝は、通常、道路の脇に沿って設けられており、この流雪溝には、河川等から汲み上げられた水が常時または定期的に流されて（放水されて）おり、ここに雪を投げ込むことにより、除雪作業が行われる。
【０００３】
このような流雪溝にあっては、所々に“投雪ステーション”が配置されており、各投雪ステーションには、流雪溝の水位を検知する水位検知装置が設けられている。昨今では、この投雪ステーションの水位検知装置により検知された水位情報を、監視センターに送信することにより、監視センターで各地点の流雪溝の水位状態を一元管理し、それにより、各流雪溝への放水を調整するようにした流雪溝運転パターン作成方法が提案されている（例えば特許文献１参照）。尚、このような流雪溝に適用される水位検知装置としては、水を媒体とした電極間の通電により水位を検知するようにしたもの（例えば特許文献２参照）が一般に適用されている。
【０００４】
【特許文献１】
特開平９−２５６６０号公報
【特許文献２】
特開平１１−４４５６８号公報
【０００５】
【発明が解決しようとする課題】
ところで、流雪溝においては、外気温や投雪により、流水が一時的に凍結する事態が生じることがある。このような場合にも、流雪溝に続けて放水が行われると、その凍結箇所から水が道路に溢れ出すといった問題が生じる。
【０００６】
しかしながら、先述したような水位検知装置では、一般に、抵抗値の大きい氷を媒介とした通電が不可能であるため、そのような凍結状態が生じると、“空水”と検知してしまい、凍結状態にあることを速やかに検知することができない。
【０００７】
この発明は、上述の問題点に鑑みてなされたものであり、その目的とするところは、溝の水位を検知可能とする一方で、溝内の水に凍結が生じた場合には、その旨を速やかに検知可能とした溝における状態監視装置を提供することにある。
【０００８】
この発明のさらに他の目的乃至作用効果については、以下の明細書の記載を参照することにより、当業者であれば容易に理解されるであろう。
【０００９】
【課題を解決するための手段】
上記目的を達成するために、本発明の溝における状態監視センサは、水を通電媒体として電極間で通電が可能とされ、それにより水の存在有無を検知する第１のセンサと、水・氷の双方を通電媒体として電極間で通電が可能とされ、それにより水・氷の存在有無を検知する第２のセンサと、前記第１と第２の両センサの出力の論理演算を行って演算結果に応じた出力を生成する演算出力装置とを有する。そして、前記第１のセンサは、溝の底部近傍にその先端が配置されるアース電極棒と、溝における満水警報発生点にその先端が配置される第１の電極棒と、溝における空水警報発生点にその先端が配置される第２の電極棒と、を具備する。また、前記第２のセンサは、溝の底部近傍にその先端が配置されるアース電極棒と、溝における凍結・融解検知点にその先端が配置される電極棒と、を具備する。本発明の溝における状態監視センサは、このような構成により、前記演算出力装置により第１のセンサの出力と第２のセンサの出力との論理演算を行い、その論理演算結果に基づいて溝における凍結有無や水位を検知し得るようにしたことを特徴とする。
【００１０】
『溝』とあるが、ここでいう溝には、流雪溝をはじめ、下水溝、一般水路、水槽、タンク、貯水槽、貯水池等の、常時又は定期的に貯水乃至放水が行われる各種の溝、池が含まれる。
【００１１】
『満水警報発生点』、並びに『空水警報発生点』は、任意に設定可能である。要は、その流雪溝における満水状態と考えられる上限点に満水警報発生点を、空水状態と考えられる下限点に空水警報発生点を一致させるようにすればよい。尚、満水水位（満水警報発生点）は、文字通りに「溝や水槽から水があふれ出る満水水位」でもよいが、文字通りの満水以外の意味も含んでいる。例えば、もう少しで水がいっぱいになる警戒水位（満水の一歩手前、例えば溝の高さの９分目等）でもよいし、それより水位が低いが余裕があまりない危険水位（たとえば溝の高さの８分目）等であってもよい。更には、監視レベルに適合するように、必要に応じて５分目や７分目などの水位でも満水水位と扱うようにしてもよい。「空水警報発生点」についても、同様に、監視レベルに適合するように、必要に応じて設定可能である。また、「凍結検知点」は空水警報発生点と同じところに設定するのがよい。ただ、空水警報発生点の近傍（やや上位、またはやや下位）に設定してもよい。なお「底部」についても溝の底部としてもよいし、底部よりも少し上位の近傍であってもよい。
【００１２】
本発明の流雪溝における状態監視センサによれば、第１のセンサの出力と第２のセンサの出力との論理演算結果に基づいて溝における凍結有無および水位を検知することが可能となる。水位については、第１のセンサから直接検知することも可能である。
【００１３】
尚、以下に、論理演算装置による論理演算内容の例を示す。尚、以下に示す例は、‘流雪溝’を想定したものである。
【００１４】
１つの例では、演算出力装置は、第１のセンサの出力が、アース電極棒と第１の電極棒との通電状態を示す第１出力ＯＮであり、第２のセンサの出力がアース電極棒と他方の電極棒との通電状態を示すＯＮのとき、満水警報信号を生成する。
この状態は、流雪溝の流水が凍結しておらず、かつ、水位が満水警報発生点を越えている状態を示している。このとき、好ましくは、警報ランプが点灯されるようにする。この警報ランプの点灯により、ユーザに、流雪溝への投雪を止めるように促すためである。水位が満水状態にあるため、これ以上、投雪すると、流雪溝より水が溢れ出す可能性が高いためである。
【００１５】
また、１つの例では、演算出力装置は、第１のセンサの出力が、アース電極棒と、第１、第２のいずれの電極棒との非通電状態を示す出力ＯＦＦであり、第２のセンサの出力がアース電極棒と他方の電極棒との通電状態を示すＯＮのとき、凍結警報信号を生成する。この状態は、流雪溝の流水が凍結しており、第２のセンサでは電極間通電がなされるものの、第１のセンサでは電極間通電がなされない状態、すなわち、電極に接触する水が凍結している状態を示している。このとき、好ましくは、警報ランプが点灯されるようにする。この警報ランプの点灯により、ユーザに、流雪溝への投雪を止めるように促すためである。流雪構内が凍結状態にあるため、投雪すると、流雪溝より水が溢れ出す可能性が高いためである。
【００１６】
また、１つの例では、演算出力装置は、第１のセンサの出力が、アース電極棒と、第１、第２のいずれの電極棒との非通電状態を示す出力ＯＦＦであり、第２のセンサの出力がアース電極棒と他方の電極棒との非通電状態を示すＯＦＦのとき、空水警報信号を生成する。この状態は、流雪溝の流水の凍結有無に拘わらず、水位が空水警報発生点以下にある状態を示している。このとき、好ましくは警報ランプが点灯されるようにする。この警報ランプの点灯により、ユーザに、流雪溝への投雪を止めるように促すためである。流水が少ないため、投雪しても十分な融解効率が得られず、流雪溝より水が溢れ出す可能性が高いためである。
【００１７】
また、１つの例では、演算出力装置は、第１のセンサの出力が、アース電極棒と、第１、第２のいずれの電極棒との通電状態を示す出力ＯＮであり、第２のセンサの出力がアース電極棒と他方の電極棒との非通電状態を示すＯＦＦのとき、センサ異常信号を生成する。この状態は、漏液検知センサにおいて通電が検知されていないにも拘わらず、水位検知センサで通電が検知されている状態、すなわち、センサになんらかの異常が発生している状態を示している。
【００１８】
本発明において、好ましくは、第１のセンサにおける第１の電極棒は、その先端位置を高さ方向に変更可能に取り付けられる。このような態様によれば、満水警報発生点を、溝の深さ（高さ）に応じて適宜調整することができる。
【００１９】
また、本発明において、第１のセンサのアース電極棒と第２のセンサのアース電極棒とを、共通の１つのアース電極棒とすることも可能である。その場合には、どちらか片方のセンサからアース電極棒を取り除いた構成となる。さらに、その場合には、共通のアース電極棒と第１のセンサの第１の電極棒との抵抗値、共通のアース電極棒と第１のセンサの第２の電極棒との抵抗値、および、共通のアース電極棒と第２のセンサの氷結検知用の電極棒との抵抗値（氷の抵抗値）のそれぞれを測定できる構成となる。なお、共通のアース電極棒と第２のセンサの氷結検知用の電極棒との抵抗値において、水と氷との２種類の抵抗値を区別して検知できる構成としてもよい。
【００２０】
また、本発明において好ましくは、取得される水位情報（水位検知情報）または凍結情報（凍結有無情報）を、予め定められた送信先に送信するための通信装置が更に設けられる。このような態様によれば、水位検知情報または凍結有無情報に応じた例えば、電子メールや文字信号を、作業員や監視センター等に速やかに送ることができるため、状況に応じた適切な対応を速やかに講じることが可能となる。
【００２１】
尚、取得される水位検知情報または凍結有無情報を、予め定められた送信先に送信するための通信装置が更に設けられる場合、状態監視システムを構成することができる。この状態監視システムの一例を挙げれば以下の通りである。
溝の状態監視センサと、監視センターと、それらを結ぶインターネットとを含む溝の状態監視システムであって、前記溝の状態監視センサは、水を通電媒体として電極間で通電が可能とされ、それにより水の存在有無を検知する第１のセンサと、水・氷の双方を通電媒体として電極間で通電が可能とされ、それにより水・氷の存在有無を検知する第２のセンサと、前記第１と第２の両センサの出力を入力する演算出力装置と、取得される水位検知情報または凍結有無情報を、監視センターに送信するための通信装置とを有し、前記第１のセンサは、溝の底部にその先端が配置されるアース電極棒と、溝における満水警報発生点にその先端が配置される第１の電極棒と、溝における空水警報発生点にその先端が配置される第２の電極棒と、を具備し、前記第２のセンサは、溝の底部にその先端が配置されるアース電極棒と、溝における空水警報発生点にその先端が配置される電極棒と、を具備し、演算出力装置は、第１のセンサの出力と第２のセンサの出力との論理演算を行い、その論理演算結果に基づいて溝における凍結有無を検知し、取得される凍結有無情報を、監視センターに送信するようにされる。
【００２２】
なお、ここでの構成を、演算出力装置は、第１のセンサの出力と第２のセンサの出力との論理演算を行い、その論理演算結果に基づいて溝における凍結有無および水位を検知し、取得される凍結有無情報および水位情報を、監視センターに送信するようにしてもよい。
【００２３】
【発明の実施の形態】
以下に、本発明装置の好適な実施の一形態を添付図面にしたがって詳細に説明する。尚、以下の実施の形態は本発明の一例を示すものに過ぎず、言うまでもなく、本発明の要旨は特許請求の範囲によってのみ規定されるものである。
【００２４】
本発明に係る溝の状態監視装置が図１に示されている。尚、この例は、溝として‘流雪溝’を適用したものである。同図に示されるように、本発明の流雪溝の状態監視装置は、道路沿いに設けられた流雪溝１００の所要地点に、この例では３００メートル間隔で設置されている。
【００２５】
各状態監視装置１は、流雪溝１００内に設置されるセンサ本体１０と、この例では電柱に取り付けられる通報装置２０、並びに警報ランプ３０とを含んでなり、センサ本体１０と通報装置２０とは、電気コード４０で接続され、警報ランプ３０と通報装置２０とは、電気コード５０でそれぞれ電気的に接続されている。
【００２６】
通報装置２０では、センサ本体１０の出力に基づいて、通報用の電子メール或いは文字信号を生成し、生成されたメール或いは文字信号を、ＤｏＰａ（ＮＴＴの登録商標）インターネット７０を通じて監視センターのパソコン（ＰＣ）や、作業員の所有する携帯電話、ポケットベル等へと送信する（図５参照）。尚、図１中符号６０はインターネット７０に無線接続するための通報装置２０のアンテナ６０を示している。
【００２７】
センサ本体１０の流雪溝における設置状態が図２に示されている。同図に示されるように、センサ本体１０は、流雪溝１００の側面に設けられた凹部に埋設されるようにして設置される。センサ本体１０は、前面が開口されているセンサケース１０１と、このセンサケース１０１内に配置される５つの電極棒１１１〜１１５とからなる。この内、電極棒１１１乃至１１３は水位検知センサを構成し、電極棒１１３、１１４は漏液検知センサ（凍結検知センサ）を構成している。なお、水位検知センサのアース電極棒と漏液検知センサのアース電極棒とを共用化して、１本の電極棒で構成してもよい。具体的な水位検知センサとしては、オムロン社製の「６１Ｆ−Ｉ」が、漏液検知センサとしては、オムロン社製の「Ｋ７Ｌ−ＡＴ５０」が適用されている。
【００２８】
水の抵抗値は約６．８ＫΩであり、この水を通電媒体としたときには、オムロン社製の「６１Ｆ−Ｉ」（水位検知センサ）並びに「Ｋ７Ｌ−ＡＴ５０」（漏液検知センサ）の双方で電極間通電が検知される。これに対し、氷の抵抗値は、１〜５ＭΩと高く、この氷を通電媒体としたときには、「Ｋ７Ｌ−ＡＴ５０」（漏液検知センサ）でのみ、電極間通電が検知される。
【００２９】
次に、電極棒の配置について説明する。水位検知センサにおける電極棒１１１はアース端子（陰極）であり、センサケース１０１の最下端位置（この例では流雪溝の底面の約１０ｃｍ上方）にその先端が位置している。また、水位検知センサにおける電極棒１１２は第１陽極であり、この例では、流雪溝の底面から約３０ｃｍ上方（空水警報発生点）にその先端が位置している。また、水位検知センサにおける電極棒１１３は第２陽極であり、この例では、センサケース１０１に設けられたスライド溝１２０に高さ方向にスライド自在に取り付けられている。このスライド溝１２０により、電極棒１１３の下端位置を、流雪溝１００の底面から５０ｃｍ〜１００ｃｍの範囲で移動させることが可能とされている。そして、水位検知センサは、例えば、電極棒１１３を流雪溝１００の底面から８０ｃｍの位置（満水警報発生点）に配置した場合を想定すると、水位が３０ｃｍ〜８０ｃｍの間にあるとき、第１の検知信号（下限スイッチ）が“ＯＮ”となり、水位が８０ｃｍを越えたとき第２の検知信号（上限スイッチ）が“ＯＮ”されるようになっている。尚、水位がいかなる位置にあっても、電極棒に接触する水が凍結状態にあるときには、この水位センサ（６１Ｆ−Ｉ）の性能上、いずれの検知信号も“ＯＦＦ”とされる。
【００３０】
一方、漏液検知センサにおける電極棒１１４はアース端子（陰極）であり、センサケース１０１の最下端位置（この例では流雪溝の底面の約１０ｃｍ上方）にその先端が位置している。また、漏液検知センサにおける電極棒１１５は陽極であり、この例では、流雪溝の底面から約３０ｃｍ上方（空水警報発生点）にその先端が位置している。そして、漏液検知センサは、水位（水が凍結状態にある場合も含む）が３０ｃｍを越えたとき、検知信号が“ＯＮ”とされる。
【００３１】
尚、各電極棒１１１〜１１５の上端部には電気コードが接続されており、これらは電気コード４０で収束されている。
【００３２】
通報装置２０の内部の回路構成が図２に示されている。同図に示されるように、通報装置２０は、端子台２０１を介して水位検知センサ本体部からの信号（電極間の通電有無）が取り込まれて水位検知センサ出力を生成する水位検知判定回路２０２と、漏液検知センサ本体部からの信号（電極間の通電有無）が取り込まれて漏液検知センサ出力を生成する漏液検知判定回路２０３と、水位検知判定回路２０２と漏液検知判定回路２０３でそれぞれ生成されるセンサ信号を取り込み、それらセンサ信号の論理演算処理を行うＰＬＣ２０４と、流雪溝の気温を検出するための温度センサ２０５、気温検出回路２０６と、水位検知判定回路２０２、漏液検知判定回路２０３、ＰＬＣ２０４、気温検出回路２０６にそれぞれ電源を供給（交流１００Ｖを取り込み直流電圧を供給）するための電源回路２０７を含んでいる。
【００３３】
ＰＬＣ２０４並びに気温検出回路２０６から出力される有電圧信号は、図２中、符号２０８で示される出力変換ユニット（無電圧リレーユニット）により無電圧信号に変換され、通報回路２０６に取り込まれる。通報回路２０９は、取り込まれた信号に基づいて、ＤｏＰａ（ＮＴＴの登録商標）対応の電子メール或いは文字信号を作成し、送信回路２１０及びアンテナ６０を介してインターネット７０に送信する。
【００３４】
水位検知判定回路２０２並びに漏液検知判定回路２０３からの（水位検知センサ並びに漏液検知センサからの）センサ出力信号と、ＰＬＣ２０４で生成される出力信号との関係が図４に表形式で示されている。
【００３５】
同図に示されるように、漏液検知センサの出力がＯＮ（電極棒１１４、１１５の間の通電有り）であり、水位検知センサの第１出力（下限スイッチ）がＯＮ、かつ水位検知センサの第２出力（上限スイッチ）がＯＦＦのとき、ＰＬＣでは、“適水位”を示す信号が生成される。この状態は、流雪溝の流水が凍結しておらず、かつ、水位が３０ｃｍ〜８０ｃｍ（電極棒１１３を流雪溝１００の底面から８０ｃｍの位置に配置した場合）の間にある状態を示している。
【００３６】
また、漏液検知センサの出力がＯＮであり、水位検知センサの第１出力がＯＦＦ、かつ水位検知センサの第２出力がＯＮのとき、ＰＬＣでは、“満水警報”を示す信号が生成される。この状態は、流雪溝の流水が凍結しておらず、かつ、水位が８０ｃｍ（電極棒１１３を流雪溝１００の底面から８０ｃｍの位置に配置した場合）を越えている状態を示している。このとき、本実施形態では、警報ランプ３０が点灯される。この警報ランプの点灯により、ユーザに、流雪溝への投雪を止めるように促す。水位が満水状態にあるため、これ以上、投雪すると、流雪溝より水が溢れ出す可能性が高いためである。
【００３７】
また、漏液検知センサの出力がＯＮであり、水位検知センサの第１出力がＯＦＦ、かつ水位検知センサの第２出力がＯＦＦのとき、ＰＬＣでは、“凍結警報”を示す信号が生成される。この状態は、流雪溝の流水が凍結しており、漏液センサでは電極間通電がなされるものの、水位検知センサでは電極間通電がなされない状態、すなわち、電極に接触する水が凍結している状態を示している。このとき、本実施形態では、警報ランプ３０が点灯される。この警報ランプの点灯により、ユーザに、流雪溝への投雪を止めるように促す。流雪構内が凍結状態にあるため、投雪すると、流雪溝より水が溢れ出す可能性が高いためである。
【００３８】
また、漏液検知センサの出力がＯＦＦであり、水位検知センサの第１出力または第２出力がＯＮのとき、ＰＬＣでは、“センサ異常”を示す信号が生成される。この状態は、水位検知センサでは電極間通電がなされるものの、漏液検知センサでは電極間通電がなされない状態、すなわち、センサに何らかの異常が発生している状態を示している。
【００３９】
また、漏液検知センサの出力がＯＦＦであり、水位検知センサの第１出力、第２出力が共にＯＦＦのとき、ＰＬＣでは、“空水警報”を示す信号が生成される。この状態は、流雪溝の流水の凍結有無に拘わらず、水位が３０ｃｍ未満の状態にあることを示している。このとき、本実施形態では、警報ランプ３０が点灯される。この警報ランプの点灯により、ユーザに、流雪溝への投雪を止めるように促す。流水が少ないため、投雪しても十分な融解効率が得られず、流雪溝より水が溢れ出す可能性が高いためである。
【００４０】
このように、本実施形態では、水位検知センサと漏液センサとを用いて、流雪溝内の水位及び凍結状態を監視することにより、流雪溝への投雪が適切なものかどうかを、警報ランプ３０を通じてユーザに通知可能とされている。
【００４１】
図２に戻り、ＰＬＣ２０４並びに気温検出回路２０６から出力される有電圧信号は、符号２０８で示される出力変換ユニット（無電圧リレーユニット）により無電圧信号に変換され、通報回路２０６に取り込まれるのであるが、このとき、通報回路２０９では、取り込まれた信号に基づいて、ＤｏＰａ（ＮＴＴの登録商標）対応の電子メール或いは文字信号が作成される。そして、作成された電子メール或いは文字信号が、送信回路２１０、アンテナ６０、並びにインターネット７０を介して、予め定められた作業員の携帯電話または管理センターのＰＣに送信される。
【００４２】
作業員の携帯電話に着信される通報用電子メールの内容の一例が図５に示されている。同図に示されるように、作業員の携帯電話に着信される電子メール本文には、この通報用電子メールを送信した状態監視装置のＩＤ『ＮＯ００００１』と、その設置場所『オオイシダＡライン』と、ＰＬＣで２０４で生成された信号種別『１．満水警報』と、気温センサにより検知された外気温『外気温５℃』が書かれている。このような電子メールを受け取ることにより、作業員は、各地の流雪溝の状態を定期的に把握することができ、異常等が認められたときには、速やかに対応することが可能となるのである。
【００４３】
尚、上記実施形態では、水位検知センサの第１電極棒と、漏液検知センサの電極棒とを、流雪溝内における同じ高さ位置に配置したが、これらの配置を換えることで、様々な論理演算出力を生成することもできる。例えば、水位検知センサの第２の電極棒を漏液検知センサの電極棒よりも下方に設けることで、以下の（１）、（２）で示す論理演算出力を追加して得ることもできる。
（１）漏液検知センサの出力がＯＮ（アース電極棒と電極棒とが導通）であり、水位検知センサの第１出力がＯＮ（アース電極棒と第１の電極棒とが導通）、かつ第２出力がＯＦＦ（アース電極棒と第２の電極棒とが非導通）のとき、ＰＬＣでは、水位が“中の上”（水位検知センサの第２電極棒の先端位置から漏液検知センサの電極棒の先端位置の間）にあることを示す信号が生成される。なお、この場合の検知結果として、漏液検知センサの電極棒の先端位置よりも上では凍結していて、漏液検知センサの電極棒の先端位置よりも下で水位検知センサの第１電極棒の先端位置から上では水が流れていると判断することもできる。つまり、上面は氷のままで、下は水が流れている状態は、雪国で暖かくなる時期によくある状態である。なお、この判断は例えば気温情報などを参酌することで可能となる。
（２）漏液検知センサの出力がＯＦＦ（アース電極棒と電極棒とが非導通）であり、水位検知センサの第１出力がＯＮ（アース電極棒と第１の電極棒とが導通）、かつ第２出力がＯＦＦ（アース電極棒と第２の電極棒とが非導通）のとき、ＰＬＣでは、水位が“中の下”（水位検知センサの第１電極棒の先端位置から漏液検知センサの電極棒の先端位置の間）にあることを示す信号が生成される。
【００４４】
この他にも、当業者であれば、水位検知センサと漏液検知センサの陽極棒の相対位置を換えること（例えば、水位検知センサの第２の電極棒を、漏液検知センサの電極棒よりも少し上方に設けるなど）で、種々の演算出力を生成することが容易に想定されるであろう。
【００４５】
また、上記実施形態では、流雪溝を示したが、本発明の溝における状態監視センサは、流雪溝の他、下水溝、一般水路、水槽、タンク、貯水槽、貯水池等の、常時又は定期的に貯水乃至放水が行われる各種の溝の状態監視に適用可能である。
【００４６】
【発明の効果】
以上の説明で明らかなように、本発明によれば、溝の水位を検知可能とする一方で、溝内の水に凍結が生じた場合には、その旨を速やかに検知可能とした溝における状態監視装置が実現される。
【図面の簡単な説明】
【図１】本発明に係る流雪溝状態監視装置を示す図である。
【図２】流雪溝状態監視装置のセンサ本体の設置状態を示す図である。
【図３】本発明に係る流雪溝状態監視装置の回路構成を示す図である。
【図４】各センサの出力と生成信号との関係を表形式で示す図である。
【図５】作業員の携帯電話に送信されてくる電子メールの内容を示す図である。
【符号の説明】
１    状態監視センサ
１０    センサ本体
２０    通報装置
３０    警報ランプ
４０，５０    電気コード
６０    通信用アンテナ
７０    インターネット
１００    流雪溝
２０１    接続端子台
２０２    水位検知判定回路
２０３    漏液検知判定回路
２０４    ＰＬＣ
２０５    温度センサ
２０６    気温検知回路
２０７    電源回路
２０８    出力変換ユニット
２０９    通報回路
２１０    送信回路
【図１】
2004347377.tif 000003
【図２】
2004347377.tif 000004
【図３】
2004347377.tif 000005
【図４】
2004347377.tif 000006
【図５】
2004347377.tif 000007